(57)【要約】【課題】簡易に組立てでき、吊り下げ状態で使用できるスライド式ハンガートレイを提供する。【解決手段】本スライド式ハンガートレイ１０は、上面と前面側が開いた上段トレイ１と下段トレイ２からなる２段のトレイを平行に支持してなる商品陳列用ハンガートレイであって、各段トレイが左右一対のスライドアーム３，４の間で回動自在に軸支されていることを特徴とする。スライドアームの上段トレイ１の側面板対面部には、４分の１円周のガイド溝と該ガイド溝を延長する小屈曲溝および他の小屈曲溝を有し、下段トレイ２の側面板対面部には、４分の１円周のガイド溝と小孔を有するようにすることができる。【選択図】図１
2018175254.tif 000002
【特許請求の範囲】
【請求項１】
上面と前面側が開いた上段トレイと下段トレイからなる２段のトレイを平行に支持してなる商品陳列用ハンガートレイであって、各段トレイがトレイの左右両側面板とその外面に設けた左右一対のスライドアームの間で回動自在に軸支されていることを特徴とするスライド式ハンガートレイ。
【請求項２】
各スライドアームと各トレイの各側面板の間が２個の小孔を有する一枚のワッシャーを間に介して、スライドアームのガイド溝または小屈曲溝もしくは小孔に差し込まれた２個のホックにより軸支されていることを特徴とする請求項１記載のスライド式ハンガートレイ。
【請求項３】
スライドアームの上段トレイ側面板対面部には、４分の１円周のガイド溝と該ガイド溝を延長する小屈曲溝および他の小屈曲溝を有し、下段トレイ側面板対面部には、４分の１円周のガイド溝と小孔を有することを特徴とする請求項１または請求項２記載のスライド式ハンガートレイ。
【請求項４】
上段トレイと下段トレイ、およびスライドアームが紙基材から形成されていることを特徴とする請求項１乃至請求項３のいずれか１の請求項記載のスライド式ハンガートレイ。
【発明の詳細な説明】
【技術分野】
【０００１】
本発明は、スライド式ハンガートレイに関する。詳しくは、上面と前面側が開いたトレイを２段に平行に支持し、トレイ内に商品等を陳列するハンガートレイに関する。
各トレイの両側面板がその外面に設けた左右一対のスライドアームとの間で、ホックを介し、回動自在に軸支されている特徴がある。スライドアームと各トレイ間が回動するため、縦型の通常の吊るし状態で使用することと、吊るさないで横置き状態にして使用することも可能にされている。吊るした態では、スライドアームの屈曲溝に上段トレイのホックが入って安定するため、上段トレイの前垂れを防ぎ略垂直状態を維持できる特徴がある。
【背景技術】
【０００２】
近年、化粧品や香料、装身具、カード類、ラベル、冊子等のように、小物かつ軽量で多品種の品揃えが必要な商品等の陳列が増えている。
これらの商品等を従来のような箱型の金属やプラスチック製の陳列具に入れて平置きする場合は、陳列具自体のコストが高額になるほか、陳列のために多大なスペースが必要となる問題がある。また、陳列の準備に手間取るという問題も生じる。
そこで、吊るし状態で展示できる、低コストの陳列具が求められている。
【０００３】
（従来技術）特許文献１には、組立て容易な陳列台が記載されている。紙製であるが、台紙に折り畳み式の収納部を取り付けするもので、トレイの両サイドに有するスライドアームにより回動する本願のものとは相違している。特許文献２の商品陳列ハンガは一枚の台紙から組み立てするものであるが、トレイの両サイドにスライドアームを持つ本願のものとは相違しているし、収納部の形態も本願と相違している。特許文献３の吊下げ展示箱は連結ピンを有しているが、左右２対のピンを使用することで本願と相違している。
特許文献４の商品陳列用具は、連結具Ｃにより、箱体Ａ、Ｂを連結しているが、箱体Ｂを軸支する連結具Ｃにはガイド溝がなく、ガイド溝は箱体Ａ、Ｂ側に形成されている点において本願と相違している。紙製箱体の場合、箱体側にガイド溝を形成すると箱体の強度が低下する問題を生じる。
【先行技術文献】
【特許文献】
【０００４】
【特許文献１】特開２０００−１２６００８号公報
【特許文献２】実用新案登録第３１５６６３８号公報
【特許文献３】実開平２−１１１３５６号公報
【特許文献４】意匠登録第１２９１５６６号公報
【発明の概要】
【発明が解決しようとする課題】
【０００５】
そこで、本発明は、店舗内や店頭に吊るし状態で設置でき、トレイが傾かず（垂れせず）、簡単に組み立てでき、軽く搬送も容易であり、かつ強度もあり、容易に製作できるスライド式ハンガートレイを提供することを課題とする。
【課題を解決するための手段】
【０００６】
上記課題を解決するために、本発明の要旨は、上面と前面側が開いた上段トレイと下段トレイからなる２段のトレイを平行に支持してなる商品陳列用ハンガートレイであって、各段トレイがトレイの左右両側面板とその外面に設けた一対のスライドアームの間で回動自在に軸支されていることを特徴とするスライド式ハンガートレイ、にある。
【０００７】
上記のスライド式ハンガートレイにおいて、各スライドアームと各トレイの各側面板の間が２個の小孔を有する一枚のワッシャーを間に介して、スライドアームのガイド溝または小屈曲溝もしくは小孔に差し込まれた２個のホックにより軸支されているようにすることができる。また、スライドアームの上段トレイ側面板対面部には、４分の１円周のガイド溝と該ガイド溝を延長する小屈曲溝および他の小屈曲溝を有し、下段トレイ側面板対面部には、４分の１円周のガイド溝と小孔を有するようにすることができる。また、上段トレイと下段トレイ、およびスライドアームが紙基材から形成されているようにすることもできる。
【発明の効果】
【０００８】
本発明のスライド式ハンガートレイによれば、上段トレイと下段トレイの２段からなるハンガートレイに、小物であるが多品種の品揃えが必要な商品を入れて垂直に吊るして陳列することができ、店舗において陳列面積を狭小化することができる。
【０００９】
また、各スライドアームと各トレイの各側面板の間が２個の小孔を有する一枚のワッシャーを間に介して、スライドアームのガイド溝または小屈曲溝もしくは小孔に差し込まれた２個のホックにより軸支されるようにする場合は、双方のホックが一定間隔をもった状態で回動（スライド）可能になるため、トレイの姿勢制御が安定する。
また、スライドアームの上段トレイ側面板対面部には、４分の１円周のガイド溝と該溝に延長する小屈曲溝および他の小屈曲溝を有し、下段トレイ側面板対面部には、４分の１円周のガイド溝と小孔を有するようにする場合には、上段トレイは他の小屈曲溝に差し込まれたホックを中心として、４分の１円周のガイド溝に差し込まれたホック側が９０度の角度範囲で回転可能になるので、トレイを横置き状態にすることも可能になる。またさらに、ハンガートレイが吊るし状態では、上段トレイのホック（の軸）が小屈曲溝に入って安定するので、トレイの傾き（前垂れ）を防止できる。
下段トレイは小孔に差し込まれたホック（の軸）を中心として、４分の１円周のガイド溝に差し込まれたホック（の軸）側が９０度の角度範囲で回転可能になる。
さらに、上段トレイと下段トレイ、およびスライドアームが紙基材から形成されているようにする場合は、比較的低コストでスライド式ハンガートレイの製作が可能になる。
【図面の簡単な説明】
【００１０】
【図１】本発明のスライド式ハンガートレイを示す斜視図である。
【図２】スライドアームの平面図である。
【図３】スライドアームと側面板間の軸支構造を示す図である。
【図４】スライド式ハンガートレイのトレイを形成するためのブランク板を示す図である。
【発明を実施するための形態】
【００１１】
以下、本発明の実施形態について、図面を参照して説明する。
図１は、本発明のスライド式ハンガートレイを示す斜視図であって、図１（Ａ）は、吊り紐６で吊るした状態を示す図、図１（Ｂ）は、横置きにした状態を示す図である。
図示していないが、トレイの底面ボックス内を縦横に区切る仕切り板を設けても良いものである。ただし、仕切り版は必須ではなく、無くても良く、上下段何れかのトレイにのみ設けるものであっても構わない。
【００１２】
図１の場合、スライド式ハンガートレイ１０は、上段トレイ１と下段トレイ２の２段のトレイから構成されているが、２段以上の多段にも構成できるものである。
本発明のスライド式ハンガートレイ１０は、主として吊るし状態で使用するが、図１（Ｂ）のように、横置き状態にもでき、この場合は安定した形態になるので、輸送時等には便利である。
【００１３】
上段トレイ１と下段トレイ２は、スライドアーム３，４のガイド溝または小孔もしくは小屈曲溝に差し込まれたホック５によって軸支されている。
上段トレイ１と下段トレイ２は、それぞれ正面視右側の右側面板Ｓ１、左側の左側面板Ｓ２、背面板Ｂ、前面板Ｆ、および底面板を有している。トレイ内に陳列する商品等の視認性を高めるために、上面と前面側が開いた構造にされている。すなわち、上面板はなく、前面板Ｆは高さを低くし、右側面板Ｓ１と左側面板Ｓ２は背面板Ｂ側から前面板Ｆに向けて傾斜下降する斜辺を有するようにされている。下段トレイ２は、ホック５の取り付け位置を確保するため、側面板Ｓ１の幅をやや大きくしている。ただし、これらの構成は図示のものに限定されず、適宜変更可能である。
【００１４】
図２は、スライドアームの平面図である。図２（Ａ）は、正面視左側のスライドアーム４の平面図、図２（Ｂ）は、正面視右側のスライドアーム３の平面図、である。
各スライドアームの上段トレイ１の側面板対面部には、４分の１円周のガイド溝ｇ１と該ガイド溝を延長する小屈曲溝ｇ３および他の小屈曲溝ｇ２を有し、下段トレイ２の側面板対面部には、４分の１円周のガイド溝ｇ４と小孔ｈ１を有している。左右のスライドアームは、図示のように、左右線対称の形状である。
【００１５】
ガイド溝ｇ１に延長して接続する小屈曲溝ｇ３は、吊るし状態で上段トレイ１の上側のホック５の軸がこの小屈曲溝ｇ３の上端に入った際、トレイを安定的に停止（固定）させる目的のものである。この位置に停止後は、商品の陳列等によるトレイの傾き（前垂れ）を防止する効果を生じる。
４分の１円周のガイド溝ｇ１は、トレイを横置きする際に、上段トレイ１のホック５の軸がこの溝内を９０度の角度範囲で回転するためのものである。他方のホック５の軸は小屈曲溝ｇ２内で小さい範囲の動きをする。
下段トレイ２の側面板に対面するスライドアームには４分の１円周のガイド溝ｇ４と小孔ｈ１のみを有する。小孔ｈ１に差し込まれたホック５の軸はこの定位置の状態にあり、他方のホック５の軸がガイド溝ｇ４に沿って９０度の角度範囲で回転する。
ガイド溝ｇ１，ｇ４と小屈曲溝ｇ２，ｇ３の溝幅は、ホック５の軸径よりは大きく、ホック５の外面の蓋径よりは小さい溝幅とする。通常、２〜６ｍｍ程度の溝幅である。
【００１６】
対面する側面板にも各２個の小孔が形成されている。上段トレイ１の側面板Ｓ１の小孔は、スライドアームのガイド溝ｇ１（または小屈曲溝ｇ３）と小屈曲溝ｇ２に、下段トレイ２の側面板Ｓ１の小孔は、スライドアームのガイド溝ｇ４と小孔ｈ１に、それぞれ差し込まれたホック５の軸により、両者が回動可能に半固定されることになる。半固定とは、一定範囲でスライド可能にゆるく固定され、分離しない状態であることを意味する。側面板Ｓ２の場合も同様である。
図１（Ａ）に図示のように、吊るし状態で、上段トレイ１のホック５は略垂直に配列し、下段トレイ２のホック５は略水平に配列している。トレイ側面板Ｓ１，Ｓ２の小孔も当然に同様の配列になる。
【００１７】
図２において、距離Ｌ１は、上段トレイ１の上下ホック５の中心間距離、距離Ｌ２は、下段トレイ２の左右ホック５の中心間距離に相当する。トレイ側面板の小孔間の距離も同一の間隔距離に設定される。
また、距離Ｌ３は、上段トレイ１と下段トレイ２のホック間距離であるが、トレイ相互間の概略距離にも相当する。概略とするのは、上段トレイ１と下段トレイ２の構造や部位によって、距離は異なるからである。
【００１８】
図３は、スライドアームと側面板間の軸支構造を示す図である。図３（Ａ）は、上段トレイ１の側面図であって、上段トレイ１の右側面板Ｓ１を想定しているが、左側側面板Ｓ２においても、また、下段トレイ２の軸支部においても同様である。図３（Ｂ）は、（Ａ）のＸ−Ｘ線断面図である。なお、ホック５は軸５ｐのみを示し、蓋となる内外面の円板は図示していない。
ホック５は、例えば、円板の中心に先端ネジ構造の軸を立設したものを、スライドアーム３の外面から差し込みし、側面板Ｓ１の内側から差し込みしたネジ蓋構造のホック５にネジ込みする構造にできるが、両軸が相互に嵌め込み合う構造で、左右のホックの軸間が嵌合する構造のものであっても良い。または、結合構造を有するいわゆる「ピン」と呼ばれる材料でも良い。
【００１９】
図３のように、上側のホック５の軸５ｐと下側のホック５の軸５ｐの中心間距離は、前記のように、Ｌ１となる。側面板Ｓ１とスライドアーム３の間には、図３（Ａ）では破線で示すワッシャー８が挿入されている。トレイを吊るした状態で、上側のホック５の軸５ｐは小屈曲溝ｇ３の上端に位置し、下側のホック５の軸５ｐは小屈曲溝ｇ２の上端に位置する。この位置にあるとき、トレイが安定して背面の垂直状態（底面の水平状態）を維持できる。
トレイを横置きする際も、双方のホック５の軸５ｐ間の距離はＬ１を常に維持する。
図３（Ｂ）のように、スライドアーム３と側面板Ｓ１の間にワッシャー８が挿入されている。ワッシャー８とスライドアームは強度を高めるため、側面板よりも肉厚に形成するのが好ましい。
【００２０】
ワッシャー８は、長円形の板であって、ホック５の軸５ｐが入る２個の小孔を有している。２個の小孔間距離も当然にＬ１にされる。このような、２個の小孔を有するワッシャー８を使用することにより、ホック５間の距離を一定に維持し、スライドを円滑にし、かつ、トレイ側面板Ｓ１，Ｓ２やスライドアーム３，４の破損を防止できる。
以上は、上段トレイ１の軸支構造であるが、下段トレイ２の場合は、小孔ｈ１と４分の１円周の屈曲溝ｇ４を有するので、トレイが小孔ｈ１のホック５の軸５ｐを中心に、他方のホック５が回転するのみであることが容易に類推できる。
【００２１】
図４は、スライド式ハンガートレイのトレイを形成するためのブランク板を示す図であって、図４（Ａ）は、上段トレイ用、図４（Ｂ）は、下段トレイ用ブランク板である。
板紙を用いて、図４のようなブランク板を打ち抜きした後、破線に沿って折り曲げし、接着剤をほぼ使用しないで全体がほぼ２枚の板紙の重ね合わせで構成されるようにされている。図４（Ａ）（Ｂ）中で、背面板Ｂは右側に前面板Ｆは中央に示されている。左端の糊代のみに接着剤を使用して組み立てできる。
各段トレイの側面板は略直角三角形状ないし五角形状の部材であり、ホック５の軸５ｐを通す小孔が形成されている。２枚の側面板を破線で山折りした際。側面板の２個の小孔が重なって、１個の小孔を形成するようにされている。
例えば、図４（Ａ）では、２個の小孔ｈ２相互間と２個の小孔ｈ３相互間が重なり合うことになる。２個の吊り紐通し穴７間も同様に重なり合うことになる。
下段トレイ２の側面板Ｓ１は、ホック５の位置が高く水平になるので、側面板Ｓ１の上側が幅広になるようにされている。
【実施例】
【００２２】
ブランク板の材質として、３１Ｋｇ／４６判の板紙を使用し、図４（Ａ）、（Ｂ）の形状のブランク板を打ち抜きした。破線に沿って折り曲げし糊代部のみを接着して、上段トレイ１と下段トレイ２を作製した。
なお、上段トレイ１と下段トレイ２のブランク板の全幅Ｈ１は、６７２ｍｍ、高さＴ１，Ｔ２は、４５３ｍｍとした。また、トレイの幅Ｈ２は、２２３ｍｍとした。
【００２３】
スライドアーム３，４とワッシャー８には、５７Ｋｇ／４６判の板紙を中心材料とし、その両面に、３１Ｋｇ／４６判の板紙をラミネートした３層構成の板紙を使用した。
スライドアーム３，４は、図２の形状にして打ち抜きし、ワッシャー８は長円形状にし、１枚に２個の小孔（直径１．６ｍｍ）を打ち抜きした。
外径（ホックの外面に表われる円板の径）８ｍｍであって、軸相互間嵌め込み式のプラスチックホック５を８組使用して、図３のように、ワッシャー８を間に介して組み立てし、スライド式ハンガートレイ１０が完成した。
【００２４】
このスライド式ハンガートレイの上段トレイ１と下段トレイ２に、化粧品を入れて陳列し、好適に使用することができた。
【符号の説明】
【００２５】
１：上段トレイ
２：下段トレイ
３，４：スライドアーム
５：ホック
５ｐ：ホックの軸
６：吊り紐
７：吊り紐通し穴
８：ワッシャー
１０：スライド式ハンガートレイ
ｇ１，ｇ４：４分の１円周ガイド溝
ｇ２，ｇ３：小屈曲溝
ｈ１：小孔
ｈ２，ｈ３：小孔
【図１】
2018175254.tif 000003
【図２】
2018175254.tif 000004
【図３】
2018175254.tif 000005
【図４】
2018175254.tif 000006